(57)【要約】【課題】熱源機の運転操作用の操作部や、熱源機の遠隔操作用の通信端末を子供が勝手に操作してしまうことによる該熱源機の想定外の運転操作が行われるのを適切に防止することを容易に実現できる住宅設備システムを提供する。【解決手段】リモコン３，４の操作部は、特定の操作以外の操作を無効化するロック状態と、ロック状態が解除された非ロック状態とに選択的に設定可能である。リモコン３，４の操作部がロック状態に設定されたとき、通信端末２４ａ，２４ｂによる熱源機２の遠隔操作を、リモコン３，４の操作部が非ロック状態に設定されている場合よりも制限する。【選択図】図１
2019024181.tif 000002
【特許請求の範囲】
【請求項１】
熱源機と、該熱源機の運転操作を行うための操作部と、通信ネットワークを介して通信端末と通信を行う通信部とを有し、前記熱源機の運転に関する遠隔操作を、前記通信端末により前記通信ネットワークを介して行い得るように構成された住宅設備システムであって、
前記操作部は、該操作部の特定の操作以外の操作を無効化するロック状態と、該ロック状態が解除された非ロック状態とに選択的に設定可能であり、
前記操作部が前記ロック状態に設定されたとき、前記通信端末による遠隔操作を、前記操作部が前記非ロック状態に設定されている場合よりも制限する遠隔操作制限手段を備えることを特徴とする住宅設備システム。
【請求項２】
請求項１記載の住宅設備システムにおいて、
前記遠隔操作制限手段は、前記通信端末による遠隔操作を制限した状態で、前記操作部又は前記通信端末で所定の操作が行われたとき、前記操作部のロック状態を維持したまま、前記通信端末による遠隔操作の制限を解除するように構成されていることを特徴とする住宅設備システム。
【請求項３】
請求項１記載の住宅設備システムにおいて、
前記通信部は、前記通信ネットワークとの間の通信を停止する通信停止モードに制御し得るように構成されており、
前記遠隔操作制限手段は、前記操作部が前記ロック状態に設定されたとき、前記通信部を前記通信停止モードに制御するように構成されていることを特徴とする住宅設備システム。
【請求項４】
請求項３記載の住宅設備システムにおいて、
前記遠隔操作制限手段は、前記通信部を前記通信停止モードに制御している状態で、前記操作部で所定の操作が行われたとき、前記操作部のロック状態を維持したまま、前記通信停止モードを解除するように前記通信部を制御するように構成されていることを特徴とする住宅設備システム。
【請求項５】
請求項１記載の住宅設備システムにおいて、
前記通信端末は、該通信端末による前記遠隔操作を可能とするサービスアプリケーションがあらかじめインストールされていると共に、該サービスアプリケーションの起動状態で、前記遠隔操作制限手段としての機能を有しており、該遠隔操作制限手段としての機能は、前記操作部が前記ロック状態に設定されたことを示すロック状態設定情報を前記通信部との通信によって取得する機能と、前記ロック状態設定情報を取得したとき、前記遠隔操作のための前記通信端末の操作を無効化する機能とを含むことを特徴とする住宅設備システム。
【請求項６】
請求項５記載の住宅設備システムにおいて、
前記通信端末の前記遠隔操作制限手段としての機能は、前記遠隔操作のための前記通信端末の操作を無効化している状態で、該通信端末の所定の操作が行われたとき、前記遠隔操作のための前記通信端末の操作を無効化することを解除する機能をさらに含むことを特徴とする住宅設備システム。
【発明の詳細な説明】
【技術分野】
【０００１】
本発明は、所謂、チャイルドロックの機能を有する住宅設備システムに関する。
【背景技術】
【０００２】
給湯装置等、熱源機を備える住宅設備システムでは、熱源機の運転操作を行うためのリモコン等の操作部を小さな子供が勝手に操作してしまうと、熱源機の運転設定が想定外の内容に変更されたり、該熱源機の想定外の運転が行われる虞がある。
【０００３】
これを防止するために、従来、例えば特許文献１に見られるように、チャルドロック機能を備えた住宅設備システムが知られている。この種の住宅設備システムでは、チャイルドロック機能を有効状態にすると、該チャイルドロック機能の解除操作等の特定の操作を除いて、操作部の操作が無効になる（当該操作を受け付けない状態になる）。
【０００４】
また、例えば特許文献２に見られるように、熱源機を備える住宅設備システムにおいて、スマートフォン等の通信端末を使用して、熱源機の運転に関する遠隔操作を行い得るようにしたものが知られている。
【先行技術文献】
【特許文献】
【０００５】
【特許文献１】特開２００５−６１７９４号公報
【特許文献２】特開２０１６−８７２３号公報
【発明の概要】
【発明が解決しようとする課題】
【０００６】
前記特許文献１に見られる如き従来のチャイルドロック機能は、住宅設備システムに備えられている操作部の操作（チャイルドロック機能の解除操作等の特定の操作以外の操作）を無効にするものである。
【０００７】
このため、特許文献２に見られるように、スマートフォン等の通信端末を使用して熱源機の運転に関する遠隔操作を行い得るようにしたものでは、住宅設備システムの操作部の操作に関するチャイルドロック機能が有効になっていても、該通信端末による遠隔操作は受け付けられてしまう。
【０００８】
そして、スマートフォン等の通信端末は、宅内等で、小さな子供が触ることができる状態で置かれているような場合も多々ある。このような場合には、住宅設備システムの操作部の操作に関するチャイルドロック機能が有効になっていても、小さな子供が通信端末を勝手に操作した場合に、熱源機の運転に関する想定外の遠隔操作が行われてしまう虞がある。
【０００９】
これを防止するために、住宅設備システムの操作部のチャイルドロック機能と同様の機能をスマートフォン等の通信端末に備えておき、該通信端末の所定の操作を行うことで、該通信端末のチャイルドロック機能を有効にすることが考えられる。
【００１０】
しかるに、この場合、子供による熱源機の想定外の運転操作を確実に防止するためには、住宅設備システムの操作部のチャイルドロック機能を有効にするための操作だけでなく、熱源機の遠隔操作を行い得る各通信端末のチャイルドロック機能を有効にするための操作をも行う必要が生じる。ひいては、その操作作業が煩わしいものとなってしまう。
【００１１】
本発明はかかる背景に鑑みてなされたものであり、熱源機の運転操作用の操作部や、熱源機の遠隔操作用の通信端末を子供が勝手に操作してしまうことによる該熱源機の想定外の運転操作が行われるのを適切に防止することを容易に実現できる住宅設備システムを提供することを目的とする。
【課題を解決するための手段】
【００１２】
本発明の住宅設備システムは、上記の目的を達成するために、熱源機と、該熱源機の運転操作を行うための操作部と、通信ネットワークを介して通信端末と通信を行う通信部とを有し、前記熱源機の運転に関する遠隔操作を、前記通信端末により前記通信ネットワークを介して行い得るように構成された住宅設備システムであって、
前記操作部は、該操作部の特定の操作以外の操作を無効化するロック状態と、該ロック状態が解除された非ロック状態とに選択的に設定可能であり、
前記操作部が前記ロック状態に設定されたとき、前記通信端末による遠隔操作を、前記操作部が前記非ロック状態に設定されている場合よりも制限する遠隔操作制限手段を備えることを特徴とする（第１発明）。
【００１３】
かかる本発明によれば、前記操作部が前記ロック状態に設定された場合には、前記通信端末の操作をせずとも、前記通信端末による遠隔操作が、前記操作部が前記非ロック状態に設定されている場合よりも制限される。従って、前記操作部を前記ロック状態に設定するだけで、該操作部の操作が制限されると共に、前記通信端末による遠隔操作が制限される。
【００１４】
よって、第１発明によれば、熱源機の運転操作用の操作部や、熱源機の遠隔操作用の通信端末を子供が勝手に操作してしまうことによる該熱源機の想定外の運転操作が行われるのを適切に防止することを容易に実現できる。
【００１５】
上記第１発明では、前記遠隔操作制限手段は、前記通信端末による遠隔操作を制限した状態で、前記操作部又は前記通信端末で所定の操作が行われたとき、前記操作部のロック状態を維持したまま、前記通信端末による遠隔操作の制限を解除するように構成されていることが好ましい（第２発明）。
【００１６】
これによれば、子供以外のユーザ（遠隔操作を正しく行い得るユーザ）が、宅内もくしくは宅外で前記通信端末を携帯もしくは使用している場合等、該通信端末が子供により勝手に操作されてしまう虞が無い状況では、前記操作部又は前記通信端末で所定の操作を行うことで、前記操作部のロック状態を維持したまま、前記通信端末による遠隔操作の制限を解除することができる。従って、該ユーザは、操作部のロック状態を維持したままで、必要に応じて、前記通信端末を使用して前記熱源機の運転に関する任意の遠隔操作を行うことが可能となり、利便性を高めることができる。
【００１７】
本発明は、より具体的には次のような態様を採用できる。例えば、上記第１発明では、前記通信部は、前記通信ネットワークとの間の通信を停止する通信停止モードに制御し得るように構成され得る。この場合、前記遠隔操作制限手段は、前記操作部が前記ロック状態に設定されたとき、前記通信部を前記通信停止モードに制御するように構成されているという態様を採用し得る（第３発明）。
【００１８】
これによれば、前記操作部が前記ロック状態に設定されると、前記通信部が自動的に通信停止モードに制御されるため、前記通信端末は、前記通信部と通信できない状態となる。ひいては、該通信端末によって、前記熱源機の運転に関する遠隔操作を行うことができない状態となる。これにより、前記第１発明に関して説明した効果を奏することができる。
【００１９】
加えて、前記通信部の通信を停止することで、該通信部の電力消費を低減できる。特に、該通信部と前記通信ネットワークとの間の通信形態が無線通信である場合には、当該電力消費の低減の効果を高めることができる。
【００２０】
上記第３発明では、前記遠隔操作制限手段は、前記通信部を前記通信停止モードに制御している状態で、前記操作部で所定の操作が行われたとき、前記操作部のロック状態を維持したまま、前記通信停止モードを解除するように前記通信部を制御するように構成されていることが好ましい（第４発明）。
【００２１】
これによれば、前記通信部が通信停止モードに制御されている状態で、前記操作部で所定の操作を行うことで、前記操作部のロック状態を維持したまま、前記通信部の通信停止モードが解除される。ひいては、前記通信端末によって、前記熱源機の運転に関する遠隔操作を行うことができる状態となる。
【００２２】
従って、前記第２発明と同様に、前記通信端末を携帯もしくは使用するユーザ（子供以外のユーザ）は、操作部のロック状態を維持したままで、必要に応じて、前記通信端末を使用して前記熱源機の運転に関する任意の遠隔操作を行うことが可能となり、利便性を高めることができる。
【００２３】
また、上記第１発明において、例えば、前記通信端末は、該通信端末による前記遠隔操作を可能とするサービスアプリケーションがあらかじめインストールされていると共に、該サービスアプリケーションの起動状態で、前記遠隔操作制限手段としての機能を有しており、該遠隔操作制限手段としての機能は、前記操作部が前記ロック状態に設定されたことを示すロック状態設定情報を前記通信部との通信によって取得する機能と、前記ロック状態設定情報を取得したとき、前記遠隔操作のための前記通信端末の操作を無効化する機能とを含むという態様を採用することもできる（第５発明）。
【００２４】
これによれば、前記操作部が前記ロック状態に設定された場合には、前記通信端末は、前記サービスアプリケーションの起動状態で前記通信部と通信ネットワークを介して通信し得る状況では、前記通信部との通信によって前記ロック状態設定情報を取得する。そして、該ロック状態設定情報の取得に応じて、前記遠隔操作のための前記通信端末の操作が無効化されるため、該通信端末によって、前記熱源機の運転に関する遠隔操作を行うことができない状態となる。これにより、前記第１発明に関して説明した効果を奏することができる。
【００２５】
上記第５発明では、前記通信端末の前記遠隔操作制限手段としての機能は、前記遠隔操作のための前記通信端末の操作を無効化している状態で、該通信端末の所定の操作が行われたとき、前記遠隔操作のための前記通信端末の操作を無効化することを解除する機能をさらに含むことが好ましい（第６発明）。
【００２６】
これによれば、前記遠隔操作のための前記通信端末の操作が無効化されている状態で、該通信端末の所定の操作を行うことで、前記遠隔操作のための前記通信端末の操作を無効化することが解除される。ひいては、前記通信端末によって、前記熱源機の運転に関する遠隔操作を行うことができる状態となる。この場合、前記通信端末の所定の操作は、前記操作部のロック状態に影響を及ぼす操作ではないので、該操作部のロック状態は維持される。
【００２７】
従って、前記第２発明と同様に、前記通信端末を携帯もしくは使用するユーザ（子供以外のユーザ）は、操作部のロック状態を維持したままで、必要に応じて、前記通信端末を使用して前記熱源機の運転に関する任意の遠隔操作を行うことが可能となり、利便性を高めることができる。
【００２８】
特に、この場合、前記遠隔操作のための前記通信端末の操作の無効化の解除のための操作は、前記操作部の操作を必要としない操作であるため、上記ユーザは外出先でも、前記遠隔操作のための前記通信端末の操作の無効化の解除を適宜行うことができる。ひいては、利便性を効果的に高めることができる。
【図面の簡単な説明】
【００２９】
【図１】本発明の実施形態の住宅設備システム（給湯装置を有するシステム）の全体構成を概略的に示す図。
【図２】図２Ａは図１に示す給湯装置に備えられたリモコンの構成を示すブロック図、図２Ｂは該リモコンの表面部の構成を示す図。
【図３】図３Ａおよび図３Ｂは図１に示す給湯装置に備えられたリモコンの表示部での表示例（第１実施形態に係る表示例）を示す図。
【図４】図４Ａおよび図４Ｂは図１に示す通信端末の表示器での表示例（第２実施形態に係る表示例）を示す図。
【発明を実施するための形態】
【００３０】
［第１実施形態］
本発明の第１実施形態を図１〜図３Ｂを参照して以下に説明する。本実施形態の住宅設備システムは、例えば、任意の住戸Ｈに設置される給湯装置１を含むシステムである。
【００３１】
給湯装置１は、本実施形態では、所謂、風呂給湯装置であり、浴室ＢＲ及び台所等の給湯箇所への給湯を行う給湯運転を実行可能であると共に、浴室ＢＲの浴槽ＢＴに湯はりを行う湯はり運転、浴槽ＢＴ内の湯を加熱する追い焚き運転、浴槽ＢＴに足し湯を行う足し湯運転等の風呂運転を実行可能である。
【００３２】
この給湯装置１は、熱源機２と、熱源機２の運転操作をユーザが行うためのリモコン３，４とを含む。
【００３３】
熱源機２には、該熱源機２内に水道水等の給湯用水を導入する給水管５と、熱源機２内で加熱した給湯用水（湯）を台所、浴室等の給湯箇所に供給する給湯管６とが接続されていると共に、浴槽ＢＴとの間で温水を流通させる浴槽配管７，７とが接続されている。
【００３４】
この熱源機２は、例えば、公知の構成の燃焼式の熱源機であり、図示を省略するバーナ（燃焼式加熱源）及び熱交換器と、給湯装置１の本体部たる熱源機２の運転制御を行う本体制御部２ａと、該本体制御部２ａにより制御される種々の制御機器（図示省略）とが搭載されている。
【００３５】
この場合、熱源機２の制御機器には、バーナへの燃料供給路を開閉する電磁弁、該バーナへの燃料供給量を調整する制御弁、バーナに燃焼用空気を供給する燃焼ファン、点火器等の燃焼系の機器と、熱交換器の周辺の通水路を開閉する電磁弁、該通水路の流量を調整する制御弁等の通水系の機器とが含まれる。
【００３６】
なお、熱源機２には、さらに、床暖房装置、浴室暖房装置等の温水式の暖房装置が温水配管を介して接続されていてもよい。
【００３７】
本体制御部２ａは、マイコン、メモリ、インターフェース回路等を含む電子回路ユニットにより構成されている。該本体制御部２ａは、リモコン３，４のそれぞれとの間で相互に通信し得るように、リモコン３，４のそれぞれに有線接続されている。
【００３８】
そして、本体制御部２ａは、実装されたハードウェア構成及びプログラム（ソフトウェア構成）によって、熱源機２の運転制御（熱源機２の燃焼系及び通水系の制御機器の作動制御）を行う機能、リモコン３，４と通信を行う機能、各種演算処理を実行する機能等を有する。本体制御部２ａにより熱源機２の運転制御を行うことで、給湯装置１は、前記給湯運転及び風呂運転を実行することができる。また、熱源機２に床暖房装置等の暖房装置が接続されている場合には、熱源機２の運転制御を行うことで、熱源機２と暖房装置との間で温水を循環させるようにすることも可能である。
【００３９】
リモコン３，４のうち、リモコン３は、浴室ＢＲに設置されるリモコン、リモコン４は、浴室ＢＲ以外の箇所、例えば台所に設置されるリモコンである。以降、リモコン３を浴室リモコン３、リモコン４を台所リモコン４という。
【００４０】
これらの浴室リモコン３又は台所リモコン４の操作部を操作することによって、給湯装置１の各運転の実行指示、ユーザが希望する給湯温度あるいは浴槽ＢＴ内の湯温（風呂温度）の設定等を行うことが可能である。
【００４１】
台所リモコン４は、本実施形態では、例えば図２Ａ及び図２Ｂに示す如く構成されている。具体的には、台所リモコン４は、図２Ａに示すように、台所リモコン４の動作に関する制御処理を実行可能なリモコン制御部４ａと、複数の操作スイッチ（４ｂ１，４ｂ２，…）により構成される操作部４ｂと、各種情報を視覚的に報知する報知部としての表示部４ｃと、各種情報を音声等により聴覚的に報知する報知部としての発音部４ｄと、住戸Ｈに構築されたローカルエリアネットワークである宅内ネットワークＮＷ１を介して宅内の通信端末２４ｂと通信したり、あるいは、インターネット、公衆通信網等により構成される広域ネットワークである外部ネットワークＮＷ２を介して宅外の通信端末２４ａと通信することが可能な通信部４ｅとを備える。宅内ネットワークＮＷ１及び外部ネットワークＮＷ２は、本発明における通信ネットワークに相当する。
【００４２】
ここで、上記通信端末２４ａ，２４ｂは、それぞれ、給湯装置１のユーザが使用し得る通信端末であり、例えば、スマートフォン、フィーチャーフォン、タブレット端末、パソコン等により構成される。これらの通信端末２４ａ，２４ｂには、それぞれ、熱源機２の運転に関する遠隔操作を可能とするサービスアプリケーションがあらかじめインストールされている。
【００４３】
さらに、各通信端末２４ａ，２４ｂは、インストールされたサービスアプリケーションを起動した状態で、給湯装置１の通信部４ｅと宅内ネットワークＮＷ１又は外部ネットワークＮＷ２を介して通信し得るように初期設定がなされている。
【００４４】
そして、各通信端末２４ａ，２４ｂは、サービスアプリケーションを起動した状態で、給湯装置１の通信部４ｅと通信を行うことで、熱源機２の運転に関する遠隔操作を行うことが可能である。
【００４５】
例えば、各通信端末２４ａ，２４ｂは、サービスアプリケーションを起動した状態で、ユーザが該通信端末２４ａ，２４ｂの操作を行うことで、湯はり運転等の風呂運転の実行を指示する信号、給湯温度もしくは浴槽ＢＴ内の湯温（風呂温度）の設定値を指示する信号、熱源機２に接続された床暖房装置等の暖房装置の運転の実行を指示する信号等の遠隔操作信号を、宅内ネットワークＮＷ１又は外部ネットワークＮＷ２を介して給湯装置１の通信部４ｅに送信することが可能である。
【００４６】
また、各通信端末２４ａ，２４ｂは、サービスアプリケーションを起動した状態で、給湯装置１の運転状態を示す情報を給湯装置１の通信部４ｅから宅内ネットワークＮＷ１又は外部ネットワークＮＷ２を介して受信して、該通信端末２４ａ，２４ｂで表示することも可能である。
【００４７】
なお、通信端末２４ａ，２４ｂのそれぞれは、宅内及び宅外のいずれでも、通信部４ｅと通信可能である。
【００４８】
台所リモコン４の表示部４ｃは、例えば液晶表示器、ＬＥＤ表示器等により構成され、図２Ｂに例示する如く、給湯温度の設定値等の種々の情報を表示可能である。
【００４９】
発音部４ｄは、例えばスピーカ等により構成され、音声、警報音等の種々の音響情報を出力可能である。
【００５０】
操作部４ｂは、例えば、図２Ｂに例示するように、給湯装置１の起動操作及び停止操作を行うための「運転入／切」スイッチ４ｂ１、湯はり運転の実行を指示する「自動」スイッチ４ｂ２、追い焚き運転の実行を指示する「おいだき」スイッチ４ｂ３、浴室ＢＲ内の入浴者との通話を浴室リモコン３を介して行うための「通話」スイッチ４ｂ４、給湯装置１の運転態様の設定のための種々のメニューを表示部４ｃに表示させる「メニュー」スイッチ４ｂ５、ユーザが頻繁に使用するメニューを表示部４ｃにワンタッチで表示させる「お気に入り」スイッチ４ｂ６、表示部４ｃに表示させるメニューの項目を選択するためのカーソルを上下左右に動かす４つの「選択」スイッチ４ｂ７、設定対象のメニューの項目を決定する「決定」スイッチ４ｂ８、表示部４ｃに表示させるメニューの内容を戻す「戻る」スイッチ４ｂ９などを含む。なお、操作部４ｂは、例えば、タッチパネル形式の操作部であってもよい。
【００５１】
宅内ネットワークＮＷ１は、本実施形態では、外部ネットワークＮＷ２に接続可能に住戸Ｈに設置されたルータ２０を含む。そして、通信部４ｅは、宅内ネットワークＮＷ１において、Wi-Fi（登録商標）もしくはBluetooth（登録商標）等の無線通信方式でルータ２０と通信し得るように構成されていると共に、宅内の通信端末２４ｂとルータ２０を介して通信可能である。この場合、通信端末２４ｂとルータ２０との間の通信は、無線通信及び有線通信のいずれでもよい。
【００５２】
さらに、ルータ２０が外部ネットワークＮＷ２に通信接続されている状態では、通信部４ｅは、宅外の通信端末２４ａとルータ２０及び外部ネットワークＮＷ２を介して通信可能である。この場合、ルータ２０と外部ネットワークＮＷ２との間の通信、及び、通信端末２４ａと外部ネットワークＮＷ２との間の通信は、それぞれ、無線通信及び有線通信のいずれでもよい。
【００５３】
また、通信部４ｅは、本実施形態では、ルータ２０との間の通信を停止する（ひいては、宅内ネットワークＮＷ１又は外部ネットワークＮＷ２との間の通信を停止する）動作モードである通信停止モードを有しており、リモコン制御部４ａによって、該通信部４ｅを適宜、通信停止モードに制御することが可能となっている。この通信停止モードでは、各通信端末２４ａ，２４ｂとの通信を行うことができないので、各通信端末２４ａ，２４ｂによって、熱源機２の運転に関する遠隔操作を行うこともできない状態となる。
【００５４】
なお、通信部４ｅは、ＬＡＮケーブル等を介してルータ２０と有線通信を行い得るように構成されていてもよい。また、通信部４ｅは、ルータとしての機能を併せもつように構成されていてもよい。この場合には、ルータ２０は不要である。
【００５５】
リモコン制御部４ａは、マイコン、メモリ、インターフェース回路等を含む電子回路ユニットにより構成され、本体制御部２ａ及び浴室リモコン３と相互に通信し得るように、該本体制御部２ａ及び浴室リモコン３に有線接続されている。また、リモコン制御部４ａには、操作部４ｂの各操作スイッチ４ｂ１〜４ｂ９の操作信号が入力されるとと共に、通信部４ｅの受信データが適宜入力される。
【００５６】
そして、リモコン制御部４ａは、実装されたハードウェア構成及びプログラムによって、表示部４ｃ、発音部４ｄ及び通信部４ｅの動作を制御する機能、本体制御部２ａ及び浴室リモコン３のそれぞれと通信を行う機能、通信部４ｅを介して通信端末２４ａ，２４ｂと通信を行う機能、各種演算処理を実行する機能等を有する。なお、リモコン制御部４ａは、通信部４ｅを介して遠隔操作信号が入力された場合には、該遠隔操作信号により示される遠隔操作指令を本体制御部２ａに送信する。
【００５７】
浴室リモコン３は、台所リモコン４と同様に構成されている。図示は省略するが、浴室リモコン３は、通信部を除いて、リモコン制御部、操作部、表示部及び発音部を台所リモコン４と同様に備えている。そして、浴室リモコン３のリモコン制御部は、本体制御部２ａ及び台所リモコン４のリモコン制御部４ａと通信し得るように、該本体制御部２ａ及び台所リモコン４のリモコン制御部４ａに有線接続されている。なお、浴室リモコン３の操作部は、台所リモコン４の操作部４ｂと異なっていてもよい。例えば、浴室リモコン３の操作部には、浴槽ＢＴの足し湯を行うための操作スイッチ等、入浴者に専用的な操作スイッチが付加されていてもよい。
【００５８】
補足すると、給湯装置１は、浴室リモコン３及び台所リモコン４以外の他のリモコンをさらに備えていてもよい。また、本体制御部２ａと浴室リモコン３及び台所リモコン４との間の通信方式は、有線通信に限らず、Wi-Fi（登録商標）等による無線通信であってもよい。
【００５９】
また、本実施形態では、通信部４ｅは、台所リモコン４に搭載されているが、該通信部４ｅは、台所リモコン４と別体のユニットであってもよい。
【００６０】
また、給湯装置１の熱源機２に床暖房装置等の暖房装置が接続されている場合には、浴室リモコン３あるいは台所リモコン４は、当該暖房装置の運転操作用の操作部を含んでいてもよい。
【００６１】
なお、本実施形態では、通信部４ｅを制御する機能を有するリモコン制御部４ａが本発明における遠隔操作制限手段としての機能を有する。
【００６２】
次に、本実施形態の給湯装置１におけるチャイルドロック機能と、遠隔操作とに係る作動を説明する。
【００６３】
本実施形態の給湯装置１は、小さな子供が、勝手に不要な運転操作（給湯温度等の設定値の変更操作、風呂運転の実行操作等）を行ってしまうのを防止するためのチャイルドロック機能を有している。このチャイルドロック機能は、台所リモコン４及び浴室リモコン３の操作部の一部の特定の操作だけを有効とし、他の操作を無効とする機能である。
【００６４】
この場合、本実施形態では、台所リモコン４又は浴室リモコン３の操作部の所定の操作を行うことで、チャイルドロック機能を有効状態としたり、あるいは、該チャイルドロック機能を解除する（無効状態にする）ことが可能である。以降、上記所定の操作をチャイルドロック切替操作という。なお、チャイルドロック機能の有効状態及び無効状態は、それぞれ、本発明におけるロック状態、非ロック状態に相当する。
【００６５】
台所リモコン４におけるチャイルドロック切替操作は、本実施形態では、例えば、台所リモコン４の前記した４つの「選択」スイッチ４ｂ７のうちの、上下に並ぶ２つのスイッチ４ｂ７，４ｂ７を同時に押し操作することを所定時間（例えば３秒間）継続するという操作である。このことは、浴室リモコン３におけるチャイルドロック切替操作についても同様である。なお、チャイルドロック切替操作は、上記と異なる態様の操作であってもよい。
【００６６】
チャイルドロック機能が無効となっている状態で、台所リモコン４及び浴室リモコン３のいずれか一方、例えば台所リモコン４でのチャイルドロック切替操作が行われると、台所リモコン４のリモコン制御部４ａは、台所リモコン４におけるチャイルドロック機能を有効状態に設定すると共に、浴室リモコン３におけるチャイルドロック機能を有効状態に設定するように、浴室リモコン３のリモコン制御部に指令する。
【００６７】
これにより、台所リモコン４及び浴室リモコン３の両方におけるチャイルドロック機能が有効状態に設定される。このことは、チャイルドロック機能が無効となっている状態で、浴室リモコン３でチャイルドロック切替操作が行われた場合も同様である。
【００６８】
上記のようにチャイルドロック機能が有効状態に設定された場合には、台所リモコン４及び浴室リモコン３は、一部の特定の操作だけが有効となり、他の操作が無効となるロック状態となる。具体的には、チャイルドロック機能が有効状態に設定されて、ロック状態になった台所リモコン４では、チャイルドロック切替操作と、給湯装置１の運転停止の操作（前記「運転入／切」スイッチ４ｂ１のオフ操作）と、通信部４ｅの動作モードを前記通信停止モードにするか否かを指定する操作との３種類の操作が有効となる一方、その他の操作は無効となる。換言すれば、当該３種類の操作だけがリモコン制御部４ａで受け付けられる一方、その他の操作はリモコン制御部４ａで受け付けられない状態となる。このことは、浴室リモコン３のロック状態についても同様である。
【００６９】
ここで、本実施形態では、チャイルドロック機能が有効状態に設定されると、台所リモコン４のリモコン制御部４ａは、台所リモコン４をロック状態にすることに加えて、通信部４ｅの動作モードを自動的に前記通信停止モードにするように該通信部４ｅを制御する。
【００７０】
このように通信部４ｅが通信停止モードに制御された状態では、宅内の通信端末２４ｂ又は宅外の通信端末２４ａから遠隔操作信号が送信されても、通信部４ｅは、該遠隔操作信号を受信できない。ひいては、熱源機２の運転に関する遠隔操作を行うことができない状態となる。
【００７１】
このため、宅内の通信端末２４ｂ又は宅外の通信端末２４ａを、小さな子供が勝手に操作したとしても、熱源機２の運転に関する遠隔操作を行うことはできない。
【００７２】
ただし、本実施形態では、通信部４ｅの通信停止モードは、台所リモコン４又は浴室リモコン３で、小さな子供が実行し難い所定のモード切替操作を行うことで、必要に応じて解除することも可能である。さらに、通信停止モードを解除した後に、当該モード切替操作を再び行うことで、通信部４ｅを通信停止モードに復帰させることも可能である。
【００７３】
本実施形態では、台所リモコン４での上記モード切替操作は、例えば、前記「決定」スイッチ４ｂ８を押し操作することを所定時間（例えば３秒間）継続して行うという操作である。このことは、浴室リモコン３でのモード切替操作も同様である。なお、モード切替操作は、上記と異なる態様の操作であってもよい。
【００７４】
また、本実施形態では、チャイルドロック機能が有効状態に設定されたとき、台所リモコン４のリモコン制御部４ａは、図３Ａに示す如き情報を表示部４ｃで表示させる。この場合、チャイルドロック中である旨を示す文字情報ａ１及び記号情報ａ２と、遠隔操作機能を有効にするためには、モード切替操作を行う必要がある旨を示す案内情報ａ３とが、表示部４ｃで表示される。このことは、浴室リモコン３でも同様である。
【００７５】
そして、台所リモコン４のリモコン制御部４ａは、台所リモコン４又は浴室リモコン３でモード切替操作が行われると、チャイルドロック機能を有効状態に維持したままで、通信停止モードを解除するように通信部４ｅを制御すると共に、表示部４ｃで表示させる情報を図３Ｂに示す如き内容に切り替える。
【００７６】
この場合、リモコン制御部４ａは、チャイルドロック中である旨を示す文字情報ａ１及び記号情報ａ２を、図３Ａと同様に表示部４ｃで表示させると共に、遠隔操作機能を無効にするためには、モード切替操作を行う必要がある旨を示す案内情報ａ４と、通信部４ｅが無線通信を行い得る状態である（ひいては、熱源機２の運転に関する遠隔操作を行い得る状態である）ことを示す記号情報ａ５とを表示部４ｃで表示させる。このことは、浴室リモコン３でも同様である。
【００７７】
なお、通信部４ｅの通信停止モードを解除した後、台所リモコン４又は浴室リモコン３でモード切替操作が再び行われると、リモコン制御部４ａは、通信部４ｅの動作モードを通信停止モードに戻す。そして、このとき、台所リモコン４の表示部４ｃ及び浴室リモコン３の表示部の表示は、図３Ａに示す表示に戻される。
【００７８】
以上説明した実施形態によれば、台所リモコン４又は浴室リモコン３でのチャイルドロック切替操作によって、チャイルドロック機能を有効状態に設定すると、通信部４ｅが自動的に通信停止モードに制御されるので、台所リモコン４又は浴室リモコン３でのモード切替操作を行って、通信部４ｅの通信停止モードを解除しない限り、宅内の通信端末２４ｂ及び宅外の通信端末２４ａのいずれでも、熱源機２の運転に関する遠隔操作を行うことができない状態になる。
【００７９】
このため、小さい子供が、通信端末２４ａ又は２４ｂを操作し得る状況であっても、該通信端末２４ａ又は２４ｂが勝手に操作されることによって、熱源機２の運転に関する想定外の遠隔操作がなされてしまうのを防止することを、台所リモコン４又は浴室リモコン３でのチャイルドロック切替操作以外の操作を必要とせずに実現できる。
【００８０】
加えて、通信部４ｅの通信停止モードでは、該通信部４ｅでの電力消費を低減することができる。
【００８１】
また、通信端末２４ａ，２４ｂを子供が勝手に操作する虞がない状況では、熱源機２の運転操作を正常に行い得るユーザが、適宜、台所リモコン４又は浴室リモコン３でのモード切替操作を行って、通信部４ｅの通信停止モードを解除することで、チャイルドロック機能を有効状態に設定したままで、宅内の通信端末２４ａ又は宅外の通信端末２４ｂによって、給湯装置１の遠隔操作を行うことができる。従って、給湯装置１の利便性を高めることができる。
【００８２】
［第２実施形態］
次に、本発明の第２実施形態を図４Ａ及び図４Ｂを参照して以下に説明する。なお、本実施形態は、第１実施形態と一部の作動だけが相違するものであるので、第１実施形態と同一の事項については説明を省略する。
【００８３】
前記第１実施形態は、チャイルドロック機能を有効状態に設定した場合に、給湯装置１の通信部４ｅを通信停止モードに制御するようにしたが、本実施形態では、通信部４ｅは、チャイルドロック機能の有効状態及び無効状態のいずれの状態でも、ルータ２０を介して宅内ネットワークＮＷ１又は外部ネットワークＮＷ２との間でルータ２０を介して通信を行い得る状態（換言すれば、通信停止モードが解除された状態）に定常的に保たれる。
【００８４】
ただし、本実施形態では、台所リモコン４又は浴室リモコン３でのチャイルドロック操作によって、チャイルドロック機能が有効状態にされた場合には、台所リモコン４のリモコン制御部４ａは、通信端末２４ａ又は２４ｂにおけるサービスアプリケーションの起動によって、該通信端末２４ａ又は２４ｂが通信部４ｅと通信し得る状態になると、チャイルドロック機能が有効状態である旨の情報（以降、ロック状態設定情報という）を通信部４ｅを介して該通信端末２４ａ又は２４ｂに送信する。
【００８５】
この場合、ロック状態設定情報を受信して取得した通信端末２４ａ又は２４ｂは、起動しているサービスアプリケーションの機能によって、給湯装置１の熱源機２の運転に関する遠隔操作のための該通信端末２４ａ又は２４ｂの操作を無効化する（該操作を受け付けない）状態となる。以降、この状態を遠隔操作無効状態という。
【００８６】
より具体的には、給湯装置１のチャイルドロック機能が有効になっていない状況で、通信端末２４ａ又は２４ｂにおけるサービスアプリケーションを起動した場合には、該通信端末２４ａ又は２４ｂの表示器には、図４Ａに例示する如く、熱源機２の運転に関する遠隔操作のための操作ボタン（タッチスイッチ）ｂ１，ｂ２，ｂ３が、タッチ操作を行い得る状態で表示される。
【００８７】
この図示例では、操作ボタンｂ１は、給湯運転に係る遠隔操作用の操作ボタン、操作ボタンｂ２は、風呂運転に係る遠隔操作用の操作ボタン、操作ボタンｂ３は、熱源機２に床暖房装置が接続されている場合における該床暖房装置の運転に係る遠隔操作用の操作ボタンである。
【００８８】
この状態は、遠隔操作無効状態ではなく、操作ボタンｂ１，ｂ２，ｂ３のいずれかをタッチ操作することによって、熱源機２の運転に関する遠隔操作を行うことが可能である。
【００８９】
一方、給湯装置１のチャイルドロック機能が有効状態に設定された状況で、通信端末２４ａ又は２４ｂにおけるサービスアプリケーションを起動した場合には、その起動直後に前記ロック状態設定情報が該通信端末２４ａ又は２４ｂで受信される。そして、該通信端末２４ａ又は２４ｂの表示器には、サービスアプリケーションの機能によって、図４Ｂに例示する如く、熱源機２の運転に関する遠隔操作のための操作ボタン（タッチスイッチ）ｂ１，ｂ２，ｂ３が、タッチ操作を行い得ない態様（この例では、グレー表示の態様）で表示される。この状態は、遠隔操作無効状態であり、操作ボタンｂ１，ｂ２，ｂ３のいずれかをタッチ操作しても、当該操作は受け付けられず、ひいては、給湯装置１の熱源機２の運転に関する遠隔操作を行うことができない。
【００９０】
さらに、この遠隔操作無効状態では、通信端末２４ａ又は２４ｂの表示器には、図４Ｂに例示する如く、該通信端末２４ａ又は２４ｂの遠隔操作無効状態を解除するための操作ボタン（タッチスイッチ）ｂ４が、タッチ操作を行い得る状態で表示される。そして、この操作ボタンｂ４に対して所定の操作（例えば、操作ボタンｂ４のタッチ操作を３秒間継続するという操作）を行うことで、該通信端末２４ａ又は２４ｂの遠隔操作無効状態が解除される。このとき、該通信端末２４ａ又は２４ｂの表示器の表示状態が、図４Ａに示した通常の表示状態になって、操作ボタンｂ１，ｂ２，ｂ３のタッチ操作を行い得る状態になる。ひいては、通信端末２４ａ又は２４ｂによって、給湯装置１の熱源機２の運転に関する遠隔操作を行い得る状態になる。
【００９１】
また、図４Ｂに示す例では、操作ボタンｂ４には、給湯装置１のチャイルドロック機能が有効になっている旨を示す記号が付記されている。これにより、通信端末２４ａ又は２４ｂのユーザは、給湯装置１のチャイルドロック機能が有効になっていることを認識できる。
【００９２】
なお、本実施形態では、各通信端末２４ａ，２４ｂにインストールされたサービスアプリケーションが、その起動状態において、本発明における遠隔操作制限手段としての機能を有するものとなる。
【００９３】
かかる本実施形態によれば、給湯装置１のチャイルドロック機能が有効状態に設定された場合には、通信端末２４ａ又は２４ｂのサービスアプリケーションを起動しても、該通信端末２４ａ又は２４ｂは、遠隔操作無効状態（熱源機２の運転に関する遠隔操作のための操作が無効化された状態）になる。
【００９４】
このため、小さい子供が、通信端末２４ａ又は２４ｂを操作し得る状況であっても、該通信端末２４ａ又は２４ｂが勝手に操作されることによって、熱源機２の運転に関する想定外の遠隔操作がなされてしまうのを防止することを、台所リモコン４又は浴室リモコン３でのチャイルドロック切替操作以外の操作を必要とせずに実現できる。
【００９５】
また、通信端末２４ａ，２４ｂを子供が勝手に操作する虞がない状況では、給湯装置１の運転操作を正常に行い得るユーザが、適宜、通信端末２４ａ又は２４ｂの表示器で表示される操作ボタンｂ４を操作することで、チャイルドロック機能を有効状態に設定したままで、該通信端末２４ａ又は２４ｂの遠隔操作無効状態を解除できる。ひいては、通信端末２４ａ又は２４ｂによって、熱源機２の運転に関する遠隔操作を行うことができる。
【００９６】
そして、通信端末２４ａ又は２４ｂの遠隔操作無効状態を解除するためには、台所リモコン４又は浴室リモコン３での操作を必要としないので、通信端末２４ａ又は２４ｂのユーザは、外出中でも随時、該通信端末２４ａ又は２４ｂの遠隔操作無効状態を解除することができる。従って、熱源機２の運転に関する遠隔操作を行うことの利便性を高めることができる。
【００９７】
なお、以上説明した各実施形態では、給湯装置１を含む住宅設備システムを例にとって説明したが、本発明の住宅設備システムは、給湯装置１の熱源機２以外の熱源機を含むシステムであってもよい。例えば住宅設備システムは、熱源機としての燃焼式もしくは電気式の送風加熱部を備える暖房システム等であってもよい。
【符号の説明】
【００９８】
２…熱源機、４ａ…リモコン制御部（遠隔操作制限手段）、４ｂ…操作部、４ｅ…通信部、２４ａ，２４ｂ…通信端末、ＮＷ１…宅内ネットワーク（通信ネットワーク）、ＮＷ２…外部ネットワーク（通信ネットワーク）。
【図１】
2019024181.tif 000003
【図２】
2019024181.tif 000004
【図３】
2019024181.tif 000005
【図４】
2019024181.tif 000006